(57)【要約】      （修正有）【課題】使用者がステッピング運動及びストレッチ運動を行えるようにする多機能運動器具を提供する。【解決手段】運動器具は、ベースと、左連結金具及び右連結金具によって接続される２つのトラック溝と、下連結金具とシリンダとを備える。ペダルが各トラック溝内に取り付けられ、少なくとも１つの位置決め穴がトラック溝に配置される。ペダルは、位置決め穴に適合する固定ロッドと共に配置される。さらに、少なくとも１つの停止穴が左連結金具に設置され、ラッチが右連結金具に配置されて停止穴内に取り付けられる。固定ロッドが位置決め穴内に取り付けられ、ラッチが停止穴内に取り付けられると、ペダルは上下に同調して動く。【選択図】図１
0003161729.tif 000002
【実用新案登録請求の範囲】
【請求項１】
多機能運動器具であって、
１つの上部軸及び２つの下部軸と共に配置されるベースと、
２つのトラック溝と、
該トラック溝のそれぞれの内部に取り付けられ、その内部で自由に摺動するペダルと、
を備え、該ペダルは垂直に動く固定ロッドと共に配置され、少なくとも位置決め穴が該トラック溝の底部の内面に配置されて、該固定ロッドは該位置決め穴内に取り付けられ；一方のトラック溝の底部の外面が左連結金具及び下連結金具に枢動可能に接続され、他方のトラック溝の底部の外面は右連結金具及び下連結金具に枢動可能に接続され；該左連結金具の他方の端及び該右連結金具の他方の端は、該上部軸に枢動可能に接続され；該２つの下連結金具のそれぞれの他方の端は、それに応じて該２つの下部軸のそれぞれに枢動可能に接続され；該左連結金具には少なくとも１つの停止穴が配置され、該右連結金具には該停止穴に適合するラッチが配置され；該固定ロッドを該位置決め穴内に、該ラッチを該停止穴内に調節して取り付けるときに、該２つのペダルが上下に同調して動かされ；該固定ロッド及び該ラッチそれぞれが該位置決め穴及び該停止穴から外れると、該ペダルは該トラック溝内を摺動しながら外側に押し出されて戻る、多機能運動器具。
【請求項２】
ソケットが該ペダルの底部に接続され、プーリセットが、該ソケットの前部及び後部に枢動可能に接続され；該ソケットの２つの外側にそれぞれ配置されている２つのプーリと該プーリの底部とを有する該プーリセットは、該トラック溝の内面と接触し、その内部で円滑に転がる、請求項１に記載の器具。
【請求項３】
弾性パッドが該ソケットの前端及び後端に配置される、請求項２に記載の器具。
【請求項４】
停止部が該トラック溝の２つの短い側辺のそれぞれに配置され、弾性パッドが、互いに向き合う各停止部の内側に配置される、請求項１に記載の器具。
【請求項５】
該一方のトラック溝の底部の外面には、該左連結金具及び該下連結金具にそれぞれ枢動可能に接続される該上部軸及び該下部軸が配置され；該他方のトラック溝の底部にある外面には、該右連結金具及び該下連結金具にそれぞれ枢動可能に接続される該上部軸及び該下部軸の別のセットが配置される、請求項１に記載の器具。
【請求項６】
シリンダが該ベースの該下部軸と該左連結金具及び該右連結金具の外側端との間に配置される、請求項１に記載の器具。
【請求項７】
該ラッチの一端が該停止穴から外れて、該左連結金具及び該右連結金具が押されて最大に拡張されると、該２つのトラック溝は水平面に平行になる、請求項１に記載の器具。
【請求項８】
該ラッチの一端が該停止穴から外れて、該左連結金具及び該右連結金具が特定の位置まで押し出されると、該２つのトラック溝は互いに向き合う該トラック溝の内側端から該トラック溝の外側端に向かって傾斜する、請求項１に記載の器具。
【請求項９】
弾性部材が、該ベースの両側それぞれの上部に配置され、該トラック溝の底部の外面に当接して用いられる、請求項１に記載の器具。
【請求項１０】
少なくとも１セットの対称的な締結スロットが各トラック溝に配置され、軸が該締結スロットの下に設置され；少なくとも１つの弾性バンドが該トラック溝の底部の外面に設置され；両端がそれぞれ位置決めブロックと接続される該弾性バンドは該軸に巻き付き、該位置決めブロックは対応する締結スロット内に固定して取り付けられ；少なくとも１セットの対称的な固定スロットが、移動する該ペダルに抵抗を加えるように、該ペダルの両側に配置され、対応する位置決めブロックを取り付けて位置決めするためのものである、請求項１に記載の器具。
【考案の詳細な説明】
【技術分野】
【０００１】
本考案は、運動器具に関し、詳細には使用者が足のステッピング及びストレッチを行うことを可能にする多機能運動器具に関する。
【背景技術】
【０００２】
種々のタイプの運動器具が現在利用可能である。それらの１つはストレッチャである。２つの長いシートが対称的に、ハンドルの２つの端と枢動可能に接続される。ハウジングで覆われる輪軸が、長いシートの２つの短い側辺に対称的に配置される。ガイドスロットが、長いシートの上面の２つの長い側辺それぞれの縁に設置される。それぞれが底部に少なくとも２セットの対称的なキャスタを有する２つのペダルが、対称的なガイドスロット内にそれぞれ取り付けられる。２セットの対称的な固定スロットは、ペダルの上端の両側にそれぞれ配置される。複数の弾性ケーブルが長いシートに配置される。弾性ケーブルは輪軸に巻き付き、ストッパが、ハウジングの上で停止するか又は固定スロット内に取り付けられるように弾性ケーブルの後端に接続される。ストレッチャは、長い溝が対称的なガイドスロット間で長いシートの上部に配置され、複数の対称的で等間隔の位置決め穴が２つの長い溝の外側付近に配置されることを特徴とする。ストップベースがその底部の四隅のピンと共に配置されると共に、これらの４つのピンは長い溝付近の位置決め穴内に取り付けられる。異なる位置決め穴内に取り付けるように、ストップベースのピンの位置を調節することによって、ガイドスロット内を移動するペダルの距離は変えられる。しかしながら、この運動器具は１つの運動モードしか提供しない。
【０００３】
このため、足のストレッチ運動だけでなくステッピング運動にもシフトするように運動器具を改良する必要性がある。
【考案の概要】
【考案が解決しようとする課題】
【０００４】
したがって、使用者がステッピング運動及びストレッチ運動を行えるようにする多機能運動器具を提供することが本考案の主な目的である。シフトユニットによって、運動モードは変えられる。このため、使用者は異なる複数の運動モードを有することができる。
【課題を解決するための手段】
【０００５】
上記の目的を達成するために、本考案の多機能運動器具は、ベースと、２つのトラック溝と、２つのペダルとを主に備える。ベースは１つの上部軸及び２つの下部軸と共に配置され、ペダルは２つのトラック溝のそれぞれの内部に取り付けられる。少なくとも１つの位置決め穴がトラック溝の底部の内面に配置される。一方のトラック溝の底部の外面が左連結金具（link）及び下連結金具に枢動可能に接続され、他方のトラック溝も同様に右連結金具及び下連結金具に枢動可能に接続される。左連結金具の他方の端及び右連結金具の他方の端は上部軸に枢動可能に接続され、２つの下連結金具のそれぞれの他方の端は、それに応じて２つの下部軸のそれぞれに枢動可能に接続される。左連結金具には少なくとも１つの停止穴が配置され、右連結金具には停止穴に適合するラッチが配置される。ペダルの底部は、トラック溝の底部の内面に当接する２つのプーリセットと枢動可能に接続され、位置決め穴内に取り付けられる固定ロッドと共に配置される。固定ロッドを位置決め穴内に、ラッチを停止穴内に取り付けることによって、２つのペダルを上下に同調して動かす。固定ロッド及びラッチが対応する穴から外れると、ペダルはトラック溝内で自由に摺動する。
【０００６】
さらに、足部筋力（foot strength）を強化するようにペダルを押しながら抵抗をもたらすために、シリンダが、ベースの２つの下部軸の底部と２つのトラック溝の底部の外面との間に配置される。
【０００７】
上記及び他の目的を達成するために本考案が採用する構造及び技術手段は、好ましい実施形態の以下の詳細な説明と添付の図面を参照することによって最良に理解することができる。
【図面の簡単な説明】
【０００８】
【図１】本考案による一実施形態の分解図である。
【図２】本考案による一実施形態のペダルの分解図である。
【図３】本考案による一実施形態のペダルの上部にある摺動子の底面図である。
【図４】組み立てられた図２の実施形態の底面図である。
【図５】組み立てられた図１の実施形態の斜視図である。
【図６】図５の線Ａ−Ａに沿った実施形態の断面図である。
【図７】組み立てられた図１の実施形態の正面図である。
【図８】図７の線Ｂ−Ｂに沿った実施形態の断面図である。
【図９】本考案による別のモードへシフトした一実施形態の斜視図である。
【図１０】図９の実施形態の正面図である。
【図１１】本考案による別の実施形態の斜視図である。
【図１２】図１１の実施形態の部分正面断面図である。
【考案を実施するための形態】
【０００９】
図１を参照すると、本考案の多機能運動器具は、ベース１０と、２つのトラック溝２０と、２つのペダル３０と、２つのシリンダとを備える。
【００１０】
ベース１０は、１つの上部軸１１及び２つの下部軸１２と共に配置される。２つの下部軸１２はそれぞれ、ベース１０の外側に上部軸１１の下で互いに対向して配置される。
【００１１】
２つのトラック溝２０は、互いに対称的な長い窪みである。停止部２１がトラック溝２０の２つの短い側辺のそれぞれに配置され、ペダル３０がトラック溝２０内に取り付けられ、少なくとも１つの位置決め穴２２がトラック溝２０の底部の内面に配置される。この実施形態では、或る一定の距離を置いて離間している２つの位置決め穴２２がある。さらに、一方のトラック溝２０の底部の外面には、左連結金具２５及び下連結金具２７にそれぞれ枢動可能に接続される上部軸２３及び下部軸２４が配置される。他方のトラック溝２０の底部の外面にも同様に、右連結金具２６及び下連結金具２７にそれぞれ枢動可能に接続される上部軸２３及び下部軸２４の別のセットが配置される。左連結金具２５の他方の端及び右連結金具２６の他方の端は、上部軸１１に枢動可能に接続され、それに応じて２つの下連結金具２７それぞれの他方の端は、２つの下部軸１２のそれぞれに枢動可能に接続される。
【００１２】
さらに、図１、図５及び図８を参照すると、上部軸１１が挿入され且つ上部軸１１によって枢動可能に接続される左下穴２５１が左連結金具２５の一方の端に配置され、少なくとも１つの停止穴２５２が、回転の中心である左下穴２５１の周囲に配置される。この実施形態では、３つの停止穴２５２がある。上部軸１１が挿入され且つ上部軸１１によって枢動可能に接続される右下穴２６１が右連結金具２６の一方の端に配置され、挿入穴２６２も右下穴２６１と並んで平行して右連結金具２６に配置される。右連結金具２６の動きを調節する際、挿入穴２６２は、上記の３つの停止穴２５２の１つに対応する。ラッチ２６３が挿入穴２６２内に取り付けられ、ラッチ２６３の一端は、使用者のニーズに応じて、対応する停止穴２５２内に取り付けられるか又は停止穴２５２から外される。
【００１３】
図２及び図４を参照すると、ソケット３１がペダル３０の底部に接続され、プーリセット３２が、ソケット３１の前部及び後部に枢動可能に接続される。各プーリセット３２は、水平軸３２１と、ソケット３１の２つの外側にそれぞれ配置されている２つのプーリ３２２とから成る。底部がソケット３１の底部よりも低いプーリ３２２は、トラック溝２０の内面と接触し、トラック溝２０内部で円滑に転がる。
【００１４】
ペダル３０にあるソケット３１は、垂直に動き得る固定ロッド３３によって取り付けられる。フランジヘッド３３１を有する固定ロッド３３及び位置決め穴２２は対応して適合する。この実施形態では、図２及び図６に示されるように、ソケット３１には、固定ロッド３３が貫通穴３１１内に取り付けられるように貫通穴３１１が配置される。両端がそれぞれフランジヘッド３３１及びソケット３１の上面に当接している圧縮ばね等の弾性要素３４が固定ロッド３３の回りに配置される。底面３５１の一端に下方傾斜３５２を有する調節可能で可動の摺動子３５が、貫通穴３１１に対応しながらペダル３０に設置される。概して、弾性要素３４はフランジヘッド３３１を上方へ動かすように押し続ける。図６に示されるように、フランジヘッド３３１の上部が摺動子３５の下方傾斜３５２に接触すると、固定ロッド３３の底部はトラック溝２０の位置決め穴２２から完全に外れる。下方傾斜３５２と反対にある、底面３５１の他方の端をフランジヘッド３３１の上面と接触させるように摺動子３５を動かしながら、フランジヘッド３３１を押し下げる結果、固定ロッド３３の底部が位置決め穴２２内に取り付けられてペダル３０はトラック溝２０内で静止する。
【００１５】
上記の構造に従って、固定ロッド３３が位置決め穴２２内に取り付けられると、ペダルはトラック溝２０の特定の位置に固定され、静止状態にある。次いで、ラッチ２６３の一方の端は停止穴２５２の１つの中に取り付けられて、左連結金具２５と右連結金具２６とを一連に接続する。それによって、２つのペダル３０を片足ずつ交互に押して上下に動かすと、足が上方及び下方に同調してスイングして、使用者がこの運動器具でステッピングをして健康及び体力の増進のために身体を鍛えることができる。
【００１６】
ステッパのように機能するように本考案の運動器具を調節する場合、力の増減を提供する異なる分類レバー等の異なる運動モードを有するように、２つのペダル３０間の高差はラッチ２６３の一端を異なる高さの停止穴２５２内に取り付けることによって変えられる。たとえば、図７を参照すると、ラッチ２６３の一端が最高位置の停止穴２５２内に取り付けられると、左連結金具２５と右連結金具２６との間にはより小さい角度が生じる。このような状況下で、ペダル３０の固定ロッド３３はそれぞれ、互いに最も近付いて２つのトラック溝２０の内側の位置決め穴２２内に取り付けられ、２つのペダル３０間の距離は最短であり、ステップ同士の高差は最大である。これはペダルを押すのによりいっそうの労力を要する。ペダル３０の固定ロッド３３がそれぞれ、互いから最も離れて２つのトラック溝２０の外側の位置決め穴２２内に取り付けられると、２つのペダル３０間の距離は増大し、ステップ同士の高差はわずかに減少する。このモードは上記のモードよりも省力である。
【００１７】
図７を参照すると、ラッチ２６３の一端を最低位置の停止穴２５２内に取り付けると、左連結金具２５と右連結金具２６との間に最大角が生じる。このような状況下で、ペダル３０の固定ロッド３３が２つのトラック溝２０の内側又は外側（異なる位置）の位置決め穴２２内に取り付けられる場合、２つのペダル３０間の距離は変えられ且つ調節可能である。このため、この器具を上述したような異なる運動モードにシフトすることができる。
【００１８】
２つのペダル３０間の高差は、ラッチ２６３を異なる位置の停止穴２５２内に取り付けることによって調節可能である。さらに、２つのペダル３０間の距離も、ペダル３０の固定ロッド３３を異なる位置の位置決め穴２２内に取り付けることによって変えることができる。
【００１９】
本考案の多機能運動器具がステッパになるように調節されると、一方のシリンダ４０は左連結金具２５の外側底部とベース１０の下部軸１２との間に配置され、他方のシリンダ４０は右連結金具２６の外側底部とベース１０の下部軸１２との間にあり、ペダル３０を押す間に抵抗をもたらす。さらに、２つのシリンダ４０をトラック溝２０の底部の外面下で枢動可能に接続して、ペダル３０を押す間に抵抗をもたらすこともできる。
【００２０】
図９及び図１０を参照すると、本考案の多機能運動器具が、使用者が足を外側に押し出して戻す、別のモードにシフトしている。ラッチ２６３の一端が停止穴２５２から外れると、左連結金具２５及び右連結金具２６は互いから分離して独立して動く。さらに、固定ロッド３３の底部はトラック溝２０の位置決め穴２２から外れるように調節されて、ペダル３０がトラック溝２０内の所定の経路に沿って自由に移動する。それによって、２つのトラック溝２０が押し下げられて左連結金具２５及び右連結金具２６が最大に拡張されると、２つのトラック溝２０は、水平面に平行になるか、又はトラック溝２０の外側に対して内側から下方に傾斜する。このため、ペダル３０は滑り落ちて傾斜したトラック溝２０の最低位置に寄りかかる。この特徴により、２つのペダル３０が内側に向かって移動し互いに近付く場合、ペダル３０への負荷がなくなると、ペダル３０は最低位置に自動的に摺動して戻る。したがって、使用者は足をより円滑にストレッチすることができる。
【００２１】
本考案の運動器具を足ストレッチモードに調節する場合、ソケット３１とトラック溝２０の停止部２１との間の接触によって引き起こされる雑音及び振動を防止するように、弾性パッド３１２が、トラック溝２０の停止部２１に面してソケット３１の一端に配置される。弾性パッド３１２は、互いに向き合う各停止部の内側に配置することもできる（図示されていない）。この実施形態では、弾性パッド３１２がソケット３１の一端に固定される。弾性パッド３１２は、発泡プラスチック又は同様の機能を有する他の材料から作製される。
【００２２】
さらに、弾性部材１３がベース１０の両側それぞれに対称的に配置されており、トラック溝２０の底部の外面に当接して用いられる。弾性部材１３が各トラック溝２０の底部の外面と接触する間に、弾性部材１３は緩衝作用をもたらして雑音及び振動を低減する。
【００２３】
本考案が足ストレッチモードにシフトする場合、ペダルに抵抗を加えるための装置が本考案の運動機具に配置される。図１０、図１１及び図１２に示されるように、少なくとも１セットの対称的な締結スロット２８が、各トラック溝２０の２つの短い側辺の外面に配置される。この実施形態では、各トラック溝２０には、２セットの締結スロット２８及び軸２９が配置され、軸２９が２つの隣接する締結スロット２８の下に配置される。少なくとも１つの弾性バンド５０（その個数は対称的な締結スロット２８のセット数に対応する）が、トラック溝２０の底部の外面に設置される。弾性バンド５０の一方の端は、位置決めブロックに接続されてから、トラック溝２０の一方の端にある軸２９の表面に付着してこれに巻き付き、トラック溝２０の他方の端にある別の位置決めブロック５１に向かってこれに接続される。一方の端にある位置決めブロック５１は、トラック溝２０の対応する締結スロット２８内に固定して取り付けられて、位置決め及び保持される。少なくとも１セットの対称的な固定スロット３６がペダル３０の両側に配置されている。対称的な固定スロット３６のセット数は、トラック溝２０にある対称的な締結スロット２８のセット数と同じである。それによって図１１に示されるように、２つのトラック溝２０の外側にある位置決めブロック５１は２つのペダル３０の外側にある固定スロット３６内に取り付けられて位置決めされるように移動する。それによって２つのペダル３０が内側且つ互いに向かって移動すると、抵抗がもたらされる。同様に、２つのトラック溝２０の内側にある位置決めブロック５１を、２つのペダル３０の内側にある固定スロット３６内に取り付けて位置決めするように移動させることもできる。したがって、２つのペダルを外側に押し出すときに抵抗が生じる。
【００２４】
当業者であれば、さらなる利点及び変更を容易に思い付くであろう。したがって、より広い態様での本考案は、本明細書で図示及び説明する具体的な詳細及び代表的な装置に限定されない。したがって、添付の特許請求の範囲及びその均等物によって定められる包括的考案概念の精神又は範囲から逸脱せずに、さまざまな変更を加えることができる。
【図１】
0003161729.tif 000003
【図２】
0003161729.tif 000004
【図３】
0003161729.tif 000005
【図４】
0003161729.tif 000006
【図５】
0003161729.tif 000007
【図６】
0003161729.tif 000008
【図７】
0003161729.tif 000009
【図８】
0003161729.tif 000010
【図９】
0003161729.tif 000011
【図１０】
0003161729.tif 000012
【図１１】
0003161729.tif 000013
【図１２】
0003161729.tif 000014